(57)【要約】【課題】電力デマンド管理において、作業中の機器停止が抑制できるようにする。【解決手段】優先順位決定部１０５は、在室人数算出部１０１が求めた在室人数、運転状態検出部１０２が検出している機器の運転状態、および電力デマンド判定部１０４による超過の判定に基づいて、各々の区画への電力の遮断の優先順位を決定する。例えば、電力デマンド判定部１０４により超過が判定されると、優先順位決定部１０５は、在室人数が多く、運転状態の機器が多い区画ほど、遮断の優先順位を低くし、在室人数がなく、機器が運転していない区画は、遮断の優先順位を高くする。【選択図】  図１
2013187987.tif 000002
【特許請求の範囲】
【請求項１】
電力デマンド管理の対象となる機器が配置された区画毎に在室人数を求める在室人数算出手段と、
前記区画毎に各々配置されている機器の運転状態を検出する運転状態検出手段と、
各々の前記区画における使用電力量を各々計測して合計の使用電力量を求める使用電力量計測手段と、
前記使用電力量計測手段が求めた合計の使用電力量を元に予測使用電力量を予測し、予測した予測使用電力量が設定されている目標使用電力量を超過することを判定する電力デマンド判定手段と、
前記在室人数算出手段が求めた在室人数、前記運転状態検出手段が検出している前記機器の運転状態、および前記電力デマンド判定手段による超過の判定に基づいて、各々の前記区画への電力の遮断の優先順位を決定する優先順位決定手段と
を備えることを特徴とする電力デマンド管理装置。
【請求項２】
請求項２記載の電力デマンド管理装置において、
前記在室人数算出手段は、前記区画毎に対応付けられた在籍者の情報をもとに、前記区画における在籍者の在室人数を求めることを特徴とする電力デマンド管理装置。
【請求項３】
電力デマンド管理の対象となる機器が配置された区画毎に在室人数を求める在室人数算出ステップと、
前記区画毎に各々配置されている機器の運転状態を検出する運転状態検出ステップと、
各々の前記区画における使用電力量を各々計測して合計の使用電力量を求める使用電力量計測ステップと、
前記使用電力量計測ステップで求めた合計の使用電力量を元に予測使用電力量を予測し、予測した予測使用電力量が設定されている目標使用電力量を超過することを判定する電力デマンド判定ステップと、
前記在室人数算出ステップで求めた在室人数、前記運転状態検出ステップで検出している前記機器の運転状態、および前記電力デマンド判定ステップによる超過の判定に基づいて、各々の前記区画への電力の遮断の優先順位を決定する優先順位決定ステップと
を備えることを特徴とする電力デマンド管理方法。
【請求項４】
請求項３記載の電力デマンド管理方法において、
前記在室人数算出ステップは、前記区画毎に対応付けられた在籍者の情報をもとに、前記区画における在籍者の在室人数を求めることを特徴とする電力デマンド管理方法。
【発明の詳細な説明】
【技術分野】
【０００１】
本発明は、予測使用電力量が目標電力量を超えないように、電力負荷である機器を停止する電力デマンド制御装置および方法に関するものである。
【背景技術】
【０００２】
一般に、工場などの大口の電力需要家においては、電力会社と電気の需給契約を結ぶ場合、所定の期間を通して最も高い電力が発生する瞬間をデマンドとして設定し、設定されたデマンドをもとに月々の基本料金が設定される。需要電力が契約したデマンドを超過すると、例えば違約金の支払いが発生し、また、デマンドの設定の変更が必要となる。このため、工場などの設備運営をする場合、デマンドを超過しないように監視・制御することが重要となる。
【０００３】
このような電力デマンド管理においては、従来、電力使用量が目標電力使用量（デマンド）を超えないようにするため、実際の電力使用状況に基づいて予測使用電力量を算出している。予測使用電力量が、目標電力使用量を超える場合、超過量に応じた電力デマンドデータを生成する。また、予測使用電力量が目標電力使用量を超過することを前提とし、生成した電力デマンドデータと機器データとから、停止（遮断）すべき装置や機器を決定する。このようにして決定した機器の発停優先順位および遮断レベル、また、遮断予定時刻をオペレータに通知している（特許文献１参照）。
【先行技術文献】
【特許文献】
【０００４】
【特許文献１】特開平０９−２１５１９３号公報
【発明の概要】
【発明が解決しようとする課題】
【０００５】
しかしながら、上述した電力デマンド管理では、次に示すような問題があった。上述した電力デマンド管理では、決定された停止対象とする機器を実際に停止すると、この機器で作業している作業者がいる場合、施設には電力が供給されているにもかかわらず一部の操業（作業）が停止されることになり、問題となる。
【０００６】
本発明は、以上のような問題点を解消するためになされたものであり、電力デマンド管理において、作業中の機器停止が抑制できるようにすることを目的とする。
【課題を解決するための手段】
【０００７】
本発明に係る電力デマンド管理装置は、電力デマンド管理の対象となる機器が配置された区画毎に在室人数を求める在室人数算出手段と、区画毎に各々配置されている機器の運転状態を検出する運転状態検出手段と、各々の区画における使用電力量を各々計測して合計の使用電力量を求める使用電力量計測手段と、使用電力量計測手段が求めた合計の使用電力量をもとに予測使用電力量を予測し、予測した予測使用電力量が設定されている目標使用電力量を超過することを判定する電力デマンド判定手段と、在室人数算出手段が求めた在室人数、運転状態検出手段が検出している機器の運転状態、および電力デマンド判定手段による超過の判定に基づいて、各々の区画への電力の遮断の優先順位を決定する優先順位決定手段とを備える。
【０００８】
上記電力デマンド管理装置において、在室人数算出手段は、区画毎に対応付けられた在籍者の情報をもとに、区画における在籍者の在室人数を求めるようにしてもよい。
【０００９】
また、本発明に係る電力デマンド管理方法は、電力デマンド管理の対象となる機器が配置された区画毎に在室人数を求める在室人数算出ステップと、区画毎に各々配置されている機器の運転状態を検出する運転状態検出ステップと、各々の区画における使用電力量を各々計測して合計の使用電力量を求める使用電力量計測ステップと、使用電力量計測ステップで求めた合計の使用電力量をもとに予測使用電力量を予測し、予測した予測使用電力量が設定されている目標使用電力量を超過することを判定する電力デマンド判定ステップと、在室人数算出ステップで求めた在室人数、運転状態検出ステップで検出している機器の運転状態、および電力デマンド判定ステップによる超過の判定に基づいて、各々の区画への電力の遮断の優先順位を決定する優先順位決定ステップとを備える。
【００１０】
上記電力デマンド管理方法において、在室人数算出ステップは、区画毎に対応付けられた在籍者の情報をもとに、区画における在籍者の在室人数を求めるようにしてもよい。
【発明の効果】
【００１１】
以上説明したことにより、本発明によれば、電力デマンド管理において、作業中の機器停止が抑制できるようになるという優れた効果が得られる。
【図面の簡単な説明】
【００１２】
【図１】図１は、本発明の実施の形態１における電力デマンド管理装置の構成を示す構成図である。
【図２】図２は、本発明の実施の形態１における電力デマンド管理方法を説明するためのフローチャートである。
【図３】図３は、本発明の実施の形態２における電力デマンド管理装置の構成を示す構成図である。
【図４】図４は、本発明の実施の形態２における電力デマンド管理方法を説明するためのフローチャートである。
【発明を実施するための形態】
【００１３】
以下、本発明の実施の形態について図を参照して説明する。
【００１４】
［実施の形態１］
はじめに、本発明の実施の形態１における電力デマンド管理装置について図１を用いて説明する。図１は、本発明の実施の形態１における電力デマンド管理装置の構成を示す構成図である。この電力デマンド管理装置は、在室人数算出部１０１と、運転状態検出部１０２と、使用電力量計測部１０３と、電力デマンド判定部１０４と、優先順位決定部１０５とを備える。
【００１５】
在室人数算出部１０１は、電力デマンド管理の対象となる機器が配置された区画毎に在室人数を求める。例えば、よく知られている入退室管理システムを用い、電力デマンド判定を行う時点で、対象となる機器が配置されている区画に入室した人数および区画より退出した人数より、当該区画に存在する人数を求める。
【００１６】
運転状態検出部１０２は、区画毎に各々配置されている機器の運転状態を検出する。使用電力量計測部１０３は、各々の機器の使用電力量を各々計測して合計の使用電力量を求める。例えば、区画毎に電力計（指示電力計）が設けられており、電力デマンド判定を行う時点で、各電力計が測定している電力を合計し、合計の使用電力量とする。
【００１７】
電力デマンド判定部１０４は、使用電力量計測部１０３が求めた合計の使用電力量をもとに予測使用電力量を予測し、予測した予測使用電力量が設定されている目標使用電力量を超過することを判定する（特許文献１参照）。
【００１８】
優先順位決定部１０５は、在室人数算出部１０１が求めた在室人数、運転状態検出部１０２が検出している機器の運転状態、および電力デマンド判定部１０４による超過の判定に基づいて、各々の区画への電力の遮断の優先順位を決定する。例えば、電力デマンド判定部１０４により超過が判定されると、優先順位決定部１０５は、在室人数が多く、運転状態の機器が多い区画ほど、遮断の優先順位を低くし、在室人数がなく、機器が運転していない区画は、遮断の優先順位を高くする。
【００１９】
次に、実施の形態１における電力デマンド管理装置の動作例（電力デマンド管理方法）について図２のフローチャートを用いて説明する。
【００２０】
まず、ステップＳ２０１で、在室人数算出部１０１が、電力デマンド管理の対象となる機器が配置された区画毎に在室人数を求める（在室人数算出ステップ）。次に、ステップＳ２０２で、運転状態検出部１０２が、区画毎に各々配置されている機器の運転状態を検出する（運転状態検出ステップ）。次に、ステップＳ２０３で、使用電力量計測部１０３が、各々の区画における使用電力量を各々計測して合計の使用電力量を求める（使用電力量計測ステップ）。
【００２１】
次に、ステップＳ２０４で、電力デマンド判定部１０４が、ステップＳ２０３で求めた合計の使用電力量をもとに予測使用電力量を予測し、予測した予測使用電力量が設定されている目標使用電力量を超過することを判定する（電力デマンド判定ステップ）。この後、ステップＳ２０５で、優先順位決定部１０５が、ステップＳ２０１で求めた在室人数、ステップＳ２０２で検出している機器の運転状態、およびステップＳ２０４による超過の判定に基づいて、各々の区画への電力の遮断の優先順位を決定する（優先順位決定ステップ）。
【００２２】
このような優先順位決定部１０５の決定により、例えば、優先順位の最も高い区画に対する電力の供給を遮断するようにすれば、作業者が存在し、運転している機器が存在している区画は遮断の対象とはなり難い。この結果、実施の形態１によれば、電力デマンド制御による作業中の機器停止が抑制できるようになる。
【００２３】
［実施の形態２］
次に、本発明の実施の形態２について図３を用いて説明する。図３は、実施の形態２における電力デマンド管理装置の構成を示す構成図である。この電力デマンド管理装置は、入退室管理部３０１と、在室人数算出部３０２と、運転状態検出部３０３と、使用電力量計測部３０４と、電力デマンド判定部３０５と、電力遮断制御部３０６とを備える。
【００２４】
入退室管理部３０１は、個人識別ＩＤを記憶している。この個人識別ＩＤには、以下の表１に示すように、対象者の氏名と共に、少なくとも、当該個人が在籍する区画の情報、および当該個人に入室が許可されている区画の情報が対応付けられている。また、メールアドレス、電話番号などの情報も備えている。表１において、例えば、個人識別ＩＤ１は、２階の部屋番号１の区画が在籍区画であり、２階の部屋番号１，２，３，４が、入室が許可されている区画である。なお、個人識別ＩＤに対し、複数の在籍区画が設定されていてもよい。
【００２５】
【表１】
2013187987.tif 000003
【００２６】
また、入退室管理部３０１は、出入り口の外側および内側に各々設置されている読み取り装置を備える。外側に設置された読み取り装置において個人識別ＩＤが読み取られると、入退室管理部３０１は、記憶されている個人識別ＩＤと照合し、一致した個人識別ＩＤの許可区画情報と、読み取り装置が設置されている区画とを照合する。照合の結果、一致した場合に、入室が許可され、例えば、出入り口のドアが開放可能な状態となる。読み取られた個人識別ＩＤの許可区画情報に、当該区画に一致する情報が含まれていない場合、ドアは開けることができない。このように、入退室管理部３０１が管理する管理対象の各区画には、入室が許可されている対象者のみが、入室が可能となる。
【００２７】
以上のような入退室制御において、入室が許可されて出入り口のドアが開放可能な状態となり、対象の人がドアを開け閉めして入室すると、入退室管理部３０１は、当該個人識別ＩＤに対応付けて入室時刻を記憶する。一方、内側に設置された読み取り装置において個人識別ＩＤが読み取られ、対象の人がドアを開け閉めして退室すると、入退室管理部３０１は、読み取られた個人識別ＩＤに対応付けて退室時刻を記憶する。
【００２８】
在室人数算出部３０２は、入退室管理部３０１が入室時刻を記憶した個人識別ＩＤの数（入室人数）より、入退室管理部３０１が退室時刻を記憶した個人識別ＩＤの数（退室人数）を差し引き、この値を、該当する区画における在室者の人数とする。在室人数算出部３０２は、例えば、入退室管理部３０１により入室者、または、退室者が確認（検出）されると、これを契機として上述したことにより在室者の人数を算出する。
【００２９】
また、在室人数算出部３０２は、入退室管理部３０１に記憶されている個人識別ＩＤに対応付けられている在籍区画の情報をもとに、入室した区画が在籍する区画である在籍者在室人数と、入室した区画が在籍していない区画である単純在室人数とを各々区別して算出する。また、運転状態検出部３０３は、区画毎に、各々配置されている機器の運転状態を検出する。例えば、運転状態検出部３０３は、各機器が、運転状態であるか、停止状態であるかを検出する。これらのことにより、本装置においては、以下の表２に示すように、区画毎に、単純在室人数，在籍者在室人数，および機器の動作状態が記憶される。例えば、表２において、１階の部屋番号３の区画では、単純在室人数は２名であるが、在籍者在室人数は、０人であることが検出されている。また、この区画では、機器１および機器２が動作状態であり、機器ｎは停止状態であることが検出されている。
【００３０】
【表２】
2013187987.tif 000004
【００３１】
使用電力量計測部３０４は、区画毎に設けられている電力計が測定している電力を合計し、当該施設の合計の使用電力量とする。なお、施設単位に目標使用電力量が設定されており、施設毎の目標使用電力量の範囲内で、以下の表３に示すように、施設内の区画毎に使用可能電力量が設定されている。例えば、２階の部屋番号２の区画では、２５ｋＷ／日が、使用可能電力量として設定されている。
【００３２】
【表３】
2013187987.tif 000005
【００３３】
電力デマンド判定部３０５は、使用電力量計測部３０４が求めた合計の使用電力量をもとに予測使用電力量を予測し、予測した予測使用電力量が設定されている目標使用電力量を超過することを判定する。
【００３４】
電力遮断制御部３０６は、在室人数算出部３０２が求めた在室人数、運転状態検出部３０３が検出している機器の運転状態、および電力デマンド判定部３０５による超過の判定に基づいて、各々の区画への電力の遮断の優先順位を決定する。例えば、電力デマンド判定部３０５により超過が判定されると、電力遮断制御部３０６は、在籍者在室人数が多く、運転状態の機器が多い区画ほど、遮断の優先順位を低くし、在籍者在室人数がなく、機器が運転していない区画は、遮断の優先順位を高くする。このように設定された優先順位をもとに、電力遮断制御部３０６は、予測使用電力量が、設定されている目標使用電力量を下回るように、優先順位の高い区画から電力を遮断する。
【００３５】
次に、実施の形態２における電力デマンド管理装置の動作例（電力デマンド管理方法）について図４のフローチャートを用いて説明する。
【００３６】
まず、ステップＳ４０１で、入退室管理部３０１に、表１に例示したような、管理対象となる利用者の情報を、入室可能な管理対象となる区画の情報と共に記憶する。次に、ステップＳ４０２で、入退室管理部３０１が、各区画における入退室者発生の有無を検出する。例えば、前述したように、設置されている読み取り装置において個人識別ＩＤが読み取られることにより、入退室者発生を検出する。
【００３７】
次に、ステップＳ４０３で、入退室管理部３０１は、所定の入退室管理を行う。例えば、外側に設置された読み取り装置において個人識別ＩＤが読み取られると、入退室管理部３０１は、記憶されている個人識別ＩＤと照合し、一致した個人識別ＩＤの許可区画情報と、読み取り装置が設置されている区画とを照合する。照合の結果、一致した場合に、入退室管理部３０１は、該当する区画の出入り口のドアを開放可能な状態とする。また、対象の人がドアを開け閉めして入室すると、入退室管理部３０１は、当該個人識別ＩＤに対応付けて入室時刻を記憶する。一方、内側に設置された読み取り装置において個人識別ＩＤが読み取られ、対象の人がドアを開け閉めして退出すると、入退室管理部３０１は、読み取られた個人識別ＩＤに対応付けて退室時刻を記憶する。
【００３８】
次に、ステップＳ４０４で、在室人数算出部３０２が、区画毎に、在室人数を算出する。在室人数算出部３０２は、入退室管理部３０１が入室時刻を記憶した個人識別ＩＤの数より、入退室管理部３０１が退室時刻を記憶した個人識別ＩＤの数を差し引き、この値を、該当する区画における在室者の人数とする。また、在室人数算出部３０２は、入退室管理部３０１に記憶されている個人識別ＩＤに対応付けられている在籍区画の情報をもとに、入室した区画が在籍する区画である在籍者在室人数と、入室した区画が在籍していない区画である単純在室人数とを各々区別して算出する（在室人数算出ステップ）。
【００３９】
次に、ステップＳ４０５で、運転状態検出部３０３が、区画毎に各々配置されている機器の運転状態を検出する（運転状態検出ステップ）。次に、ステップＳ４０６で、使用電力量計測部３０４が、各々の区画における使用電力量を各々計測して合計の使用電力量を求める（使用電力量計測ステップ）。
【００４０】
次に、ステップＳ４０７で、電力デマンド判定部３０５が、ステップＳ４０３で求めた合計の使用電力量をもとに予測使用電力量を予測し、予測した予測使用電力量が設定されている目標使用電力量を超過することを判定する（電力デマンド判定ステップ）。予測した予測使用電力量が設定されている目標使用電力量より小さい場合（ステップＳ４０７のｎ）、ステップＳ４０２に戻る。
【００４１】
一方、予測した予測使用電力量が設定されている目標使用電力量を超えている場合（ステップＳ４０７のｙ）、ステップＳ４０８で、電力遮断制御部３０６が、ステップＳ４０４で求めた在室人数、およびステップＳ４０５で検出した機器の運転状態に基づいて、各々の区画への電力の遮断の優先順位を決定する（優先順位決定ステップ）。例えば、在籍者在室人数が多く、運転状態の機器が多い区画ほど、遮断の優先順位を低くし、在籍者在室人数がなく、機器が運転していない区画は、遮断の優先順位を高くする。
【００４２】
次に、ステップＳ４０９で、電力遮断制御部３０６は、上述したように設定した優先順位をもとに、予測使用電力量が、設定されている目標使用電力量を下回るように、優先順位の高い区画から電力を遮断する。
【００４３】
このような電力遮断制御部３０６の制御により、例えば、優先順位の最も高い区画に対する電力の供給を遮断するようにすれば、在籍者が存在し、運転している機器が存在している区画は遮断の対象とはなり難い。この結果、実施の形態２によれば、電力デマンド制御による作業中の機器停止が抑制できるようになる。
【００４４】
ここで、在籍者は、該当する区画において、例えば、機器を操作する操作者である。従って、在籍者の在室人数が多く、稼働している機器が多い区画に対して電力を遮断すると、作業中の機器の停止が多数発生することになる。これに対し、実施の形態２では、区画の在籍者の在室人数を求めるようにしているので、このような区画の優先度が低く設定されるようになり、より、作業中の機器停止が抑制できるようになる。
【００４５】
以上に説明したように、本発明によれば、電力デマンド管理の対象となる施設において、在籍人数および機器の可動状態により、区画毎に電力遮断の優先度を決定するようにしたので、作業中の機器の不用意な停止が抑制できるようになり、より実態に即した電力デマンド管理が行えるようになる。また、節電や省エネに貢献できるようになる。
【００４６】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００４７】
１０１…在室人数算出部、１０２…運転状態検出部、１０３…使用電力量計測部、１０４…電力デマンド判定部、１０５…優先順位決定部。
【図１】
2013187987.tif 000006
【図２】
2013187987.tif 000007
【図３】
2013187987.tif 000008
【図４】
2013187987.tif 000009